(57)【要約】【課題】  機密文書の不正コピーを防止する画像形成装置を実現する。【解決手段】  原稿にＲＦＩＤタグを付すとともに、画像形成装置に原稿に付されたＲＦＩＤタグとの通信を行なうための原稿用ＲＦＩＤタグセンサ８０を設け、ＲＦＩＤタグセンサ８０によるＲＦＩＤタグの検出結果に応じて、画像形成動作を制御することによって、機密文書の不正コピーを防止する。原稿用ＲＦＩＤタグセンサ８０からＲＦＩＤタグに記憶されているＲＦＩＤ情報を読み取り、読み取ったＲＦＩＤ情報に応じて、画像形成動作を制御する。制御の内容とＲＦＩＤタグの原稿上の数又は位置とを、自由に設定可能とする。【選択図】  図２
2005323209.tif 000002
【特許請求の範囲】
【請求項１】
原稿を読み取るための読み取り手段と、
前記読み取り手段で読み取った画像データを記憶するための記憶手段と、
前記記憶手段に記憶した画像データに基づいて画像を形成する画像形成手段と、
操作者が指示を入力するための操作手段と、
前記読み取り手段による画像読み取り中に、原稿からＲＦＩＤタグの有無を検出するＲＦＩＤ検出手段と、
前記ＲＦＩＤ検出手段によるＲＦＩＤタグの検出結果により、画像形成動作を制御する制御手段とを備えたことを特徴とする画像形成装置。
【請求項２】
請求項１記載の画像形成装置において、
前記ＲＦＩＤ検出手段は、着脱可能であることを特徴とする画像形成装置。
【請求項３】
請求項１又は２記載の画像形成装置において、前記画像形成装置はさらに、
原稿を搬送するための搬送手段を備え、
前記ＲＦＩＤ検出手段は、前記搬送手段による原稿の搬送中に、原稿に付されたＲＦＩＤタグを検出することを特徴とする画像形成装置。
【請求項４】
請求項３記載の画像形成装置において、
前記操作手段は、前記検出手段が有効に検出するＲＦＩＤタグの位置及び数の少なくとも１つを選択できることを特徴とする画像形成装置。
【請求項５】
請求項１乃至４のいずれか１項に記載の画像形成装置において、
前記ＲＦＩＤ検出手段により、ＲＦＩＤタグ有りと検出された場合に、検出したＲＦＩＤタグに記憶されているＲＦＩＤ情報を読み込むＲＦＩＤ読み込み手段と、
ＲＦＩＤ情報と、該ＲＦＩＤ情報に対応付けられた前記制御手段による制御の内容についての制御情報とを記憶するための制御テーブルと、
前記制御テーブルを参照し、前記ＲＦＩＤ情報に対応する制御情報を特定する特定手段とを備え、
前記制御手段は、前記特定手段により特定された制御を行うことを特徴とする画像形成装置。
【請求項６】
請求項５記載の画像形成装置において、
前記制御テーブルに記憶されているＲＦＩＤ情報は、原稿情報及び利用者情報の少なくとも１つを含むことを特徴とする画像形成装置。
【請求項７】
請求項５又は６記載の画像形成装置において、
前記特定手段は、前記制御テーブルを参照し、前記ＲＦＩＤ読み込み手段で読み込んだＲＦＩＤ情報と同一のＲＦＩＤ情報を検索し、該検索したＲＦＩＤ情報に対応する制御情報を特定することを特徴とする画像形成装置。
【請求項８】
請求項１乃至７のいずれか１項に記載の画像形成装置において、
前記操作手段により、前記制御テーブルに記憶されている制御情報について、対応するＲＦＩＤ情報毎に設定する指示が入力されることを特徴とする画像形成装置。
【請求項９】
請求項１乃至８のいずれか１項に記載の画像形成装置において、
前記制御手段は、画像形成を停止又は中断することを特徴とする画像形成装置。
【請求項１０】
請求項１乃至９のいずれか１項に記載の画像形成装置において、
前記制御手段は、画像形成動作完了後に、前記記憶手段に記憶された画像データを削除することを特徴とした画像形成装置。
【請求項１１】
請求項１乃至１０のいずれか１項に記載の画像形成装置において、
前記制御手段は、前記記憶手段に予め記憶されている画像データを、前記読み取り手段により読み取った画像に重ね合わせて画像形成することを特徴とした画像形成装置。
【請求項１２】
請求項１１記載の画像形成装置において、
前記操作手段は、前記記憶手段に予め記憶されている画像データの中から、前記読み取り手段で読み取った画像に重ね合わせるための重ね合わせ画像を選択的に設定できることを特徴とした画像形成装置。
【発明の詳細な説明】
【技術分野】
【０００１】
本発明は、原稿読み取りの際に原稿のＲＦＩＤタグの有無を検知し、ＲＦＩＤタグの有無に応じて画像形成動作を制御する画像形成装置に関する。
【背景技術】
【０００２】
近年、人が目で見て認識できる情報とデジタル情報とを同一の媒体で用いる技術への期待が高まっている。例えば、印刷用紙にＩＤチップを付加し、通常の複写に加え、ＩＤチップ内へ印刷内容等のデジタルデータを書き込むといったものである。
【０００３】
最近、このＩＤチップ技術として、ＲＦＩＤ（Radio Frequency Identification）タグ技術が注目を集めている。ＲＦＩＤタグとは、データの読み書きが可能で、そのデータを電波によって送受信するものである。例えば、ＲＦＩＤタグを埋め込んだ用紙を記録紙として用い、記録紙に原稿画像データを出力してプリントすると同時に、記録紙のＲＦＩＤタグに当該原稿画像に関するデータや、複写を指示したユーザの情報等をも書き込むよう構成されたものがある。
【特許文献１】特開２００２−３３７４２６号公報
【発明の開示】
【発明が解決しようとする課題】
【０００４】
しかしながら、特許文献１記載の画像形成装置は、記録紙に画像データ及びそれに付随するデータをＲＦＩＤタグに記録することに言及するのみであって、記録紙に記録された画像データ及びそれに付随するデータをどのように使用するかという点については、何ら記載されていない。そのため、例えば、以下のような場合には、何ら対処策が考慮されていない。
【０００５】
１つには、画像形成装置が、不特定多数の人が使用するオフィスや公共の場に置かれている場合である。このような画像形成装置は、誰でも自由に使用可能な場合が多く、機器によっては、紙幣等の自由な画像形成が望ましくない原稿について画像形成される可能性がある。
【０００６】
本発明では、上記のような場合において、ＲＦＩＤが付加された原稿の画像データについて画像形成を制御し、例えば操作者が、不正に画像形成することを防止することを目的とする。
【課題を解決するための手段】
【０００７】
本発明の画像形成装置は、ＲＦＩＤタグ付原稿を使用することを想定し、装置にはＲＦＩＤタグ読み取り手段を具備し、あるいは別ユニットの読み取り手段を接続可能なインターフェースを具備し、前記読み取り手段は装置に内蔵あるいは外付けで設置可能な構成を想定している。
【０００８】
また、本発明の画像形成装置は、ユーザインターフェースとなる操作手段を具備し、ボタン、タッチパネル等の入力機能と、ＬＥＤ、ＬＣＤ、ＣＲＴ等の表示機能とを備え、内蔵あるいは外付けで設置可能な構成を想定している。また、操作手段は、無線ＬＡＮ・無線公衆回線・光通信・音通信といった無線通信を利用してＰＤＡ、携帯電話、携帯型コンピュータ、リモートコントローラ、ネットワーク家電製品といった他の装置に具備している操作手段を使って制御することも想定している。また、有線・無線ネットワークにて装置と接続されたホストコンピュータの入出力機能を使って制御することも想定している。また、本装置においてＲＦＩＤタグ情報の取得は、原稿搬送中に行われるよう構成されている場合には、単一のＲＦＩＤ読み取り手段にて用紙上のＲＦＩＤタグ情報を一枚一枚読み取ることが容易に可能な点を特徴としている。また、複写機・スキャナといった原稿読み取り手段を備えた装置、あるいは複合システムに適用することを想定している。
【０００９】
請求項１記載の画像形成装置は、原稿画像を読み取るための読み取り手段と、読み取った画像データを保持するための記憶手段と、保持した画像データに基づいて画像を形成する画像形成手段と、ユーザが操作を行なうためのインターフェースとなる操作手段と、画像形成動作が開始された後に、ＲＦＩＤタグが付加された原稿からＲＦＩＤタグを検出するＲＦＩＤ検出手段と、このＲＦＩＤ検出手段によりＲＦＩＤタグが検出された場合に画像形成動作を制御する制御手段とを備えたことを特徴とする。
【００１０】
請求項２記載の画像形成装置は、請求項１記載の画像形成装置において、ＲＦＩＤタグが付加された原稿からＲＦＩＤタグを検出するＲＦＩＤ検出手段を、着脱可能としたことを特徴とする。
【００１１】
請求項３記載の画像形成装置は、請求項１又は２記載の画像形成装置において、さらに原稿を搬送するための搬送手段を備え、搬送手段により原稿を搬送しながら読み取り手段により原稿を読み取りながら、ＲＦＩＤ検出手段により原稿タグに付加されたＲＦＩＤタグを読み取ることを特徴とする。
【００１２】
請求項４記載の画像形成装置は、請求項３記載の画像形成装置において、操作手段が、検出手段が有効に検出するＲＦＩＤタグの位置及び数の少なくとも一方を選択できるよう構成することを特徴とする。
【００１３】
請求項５記載の画像形成装置は、請求項１乃至４のいずれか１項に記載の画像形成装置において、さらにＲＦＩＤ検出手段でＲＦＩＤタグが検出された場合に、検出したＲＦＩＤタグに記憶されているＲＦＩＤ情報を読み込むＲＦＩＤ読み込み手段と、ＲＦＩＤ情報とＲＦＩＤ情報に対応した制御情報とを記憶するための制御テーブルと、読み込んだＲＦＩＤ情報に対応する制御情報を特定するための特定手段とを備え、制御手段がこの特定手段により特定した制御を実行することを特徴とする。
【００１４】
請求項６記載の画像形成装置は、請求項５記載の画像形成装置において、制御テーブルに記憶されているＲＦＩＤ情報は、原稿情報及びユーザ情報のうち少なくとも１つを含むことを特徴とする。
【００１５】
請求項７記載の画像形成装置は、請求項５又は６記載の画像形成装置において、特定手段は、制御テーブルを参照し、ＲＦＩＤ読み込み手段で読み込んだＲＦＩＤ情報と同一のＲＦＩＤ情報を検索し、検索したＲＦＩＤ情報に対応する制御情報を特定することを特徴とする。
【００１６】
請求項８記載の画像形成装置は、請求項１乃至７のいずれか１項に記載の画像形成装置において、操作手段が、制御テーブルに記憶されている制御情報について、対応するＲＦＩＤ情報毎に設定できるよう構成したことを特徴とする。
【００１７】
請求項９記載の画像形成装置は、請求項１乃至８のいずれか１項に記載の画像形成装置において、制御手段が、画像形成を停止又は中断をさせるよう制御することを特徴とする。なお、停止とは、画像形成を取り止めることであり、中断とは、画像形成を再開可能な状態で一時的に停止させておくことである。
【００１８】
請求項１０記載の画像形成装置は、請求項１乃至９のいずれか１項に記載の画像形成装置において、制御手段が、画像形成完了後に、記憶部に保持されている原稿画像データにアクセスし、これを削除させるよう制御することを特徴とする。
【００１９】
請求項１１記載の画像形成装置は、請求項１乃至１０のいずれか１項に記載の画像形成装置において、制御手段が、読み取り手段で読み取った原稿画像データと、記憶手段に予め記憶されている画像データの中から所定の画像データとを重ね合わせて画像形成させるよう制御することを特徴とする。
【００２０】
請求項１２記載の画像形成装置は、請求項１１記載の画像形成装置において、操作手段が、記憶手段に記憶されている画像データの中から所望の画像データを重ね合わせに用いるよう設定できるよう構成することを特徴とする。
【発明の効果】
【００２１】
請求項１記載の発明によれば、原稿からＲＦＩＤタグを検出するＲＦＩＤ検出手段と、該手段によってＲＦＩＤタグが検出された場合に、画像形成動作を制御する制御手段とを備えたので、ＲＦＩＤタグが付加された原稿を画像形成しようとした場合に、自由な画像形成をすることを制限することができるので、ＲＦＩＤタグが付加された原稿について、通常の複写のような画像形成を制限することができる。
【００２２】
請求項２記載の発明によれば、原稿からＲＦＩＤタグを検出するＲＦＩＤ検出手段を、画像形成装置から着脱可能とするので、ＲＦＩＤ検出手段が画像形成装置に固定されていない場合であっても、ＲＦＩＤタグが付加された原稿について、通常の複写のような画像形成を制限することができる。
【００２３】
請求項３記載の発明によれば、原稿を搬送する搬送手段を備え、ＲＦＩＤ検出手段は原稿を搬送しながらＲＦＩＤタグを検出するので、搬送手段により搬送する原稿が複数であっても、ＲＦＩＤタグが付加された原稿のみについて、通常の複写のような画像形成を制限することができる。また、搬送手段により原稿搬送中にＲＦＩＤタグを検出するので、ＲＦＩＤタグの位置や、数についての制限なく検出することができる。
【００２４】
請求項４記載の発明によれば、ユーザが操作手段から所定の操作を行うことによって、ＲＦＩＤ検出手段により検出するＲＦＩＤタグの数及び位置の少なくとも１つについて設定できるので、ＲＦＩＤタグが複数付加された原稿や、ＲＦＩＤタグが付加された位置が一様でない複数種類の原稿を取り扱う場合でも、請求項３と同様の効果を得ることができる。
【００２５】
請求項５記載の発明によれば、ＲＦＩＤタグに記憶されたＲＦＩＤ情報を読み込む読み込み手段と、ＲＦＩＤ情報と制御情報とを含む制御テーブルと、該読み込んだＲＦＩＤ情報と該制御テーブルとから制御内容を特定する特定手段とを備えたので、ＲＦＩＤ情報が記憶されたＲＦＩＤタグが付加された原稿について、画像形成しようとした場合に、原稿の種類やユーザ毎に画像形成動作の制御の内容を選択特定でき、ユーザの利用環境に応じた画像形成の制限をすることができる。
【００２６】
請求項６記載の発明によれば、制御テーブルに原稿情報及びユーザ情報のうち少なくともいずれか一方を含むので、ＲＦＩＤタグに記憶されたＲＦＩＤ情報に、原稿の種類、又はユーザの情報があれば、通常の複写のような画像形成を制限することができる。
【００２７】
請求項７記載の発明によれば、特定手段は、制御テーブルを参照し、ＲＦＩＤ読み込み手段で読み込んだＲＦＩＤ情報と同一のＲＦＩＤ情報を検索するよう構成するので、ＲＦＩＤ毎に所望の制限内容をテーブルに設定しておくことによって、ＲＦＩＤ毎に、画像形成についての所望の制御をすることができる。
【００２８】
請求項８記載の発明によれば、制御テーブルに記憶されている制御情報を、対応するＲＦＩＤ情報毎に、自由に設定できる操作手段を備えているので、ユーザの利用環境に応じた画像形成の制御をすることができる。
【００２９】
請求項９載の発明によれば、制御手段は、画像形成を停止又は中断させるので、原稿束の中にＲＦＩＤタグが付加された原稿が混在していた場合、ＲＦＩＤタグが付加された原稿を発見できるとともに、通常の複写のような画像形成を制限することができる。
【００３０】
請求項１０記載の発明によれば、制御手段は、原稿画像を読み取った後に、記憶部に記憶された画像データを、画像形成完了後に削除するので、画像形成後に不要となった画像データについて、記憶部内の該原稿画像データを不正に利用されることを防止することができる。
【００３１】
請求項１１記載の発明によれば、制御手段は、読み取った原稿画像について画像形成する前に、記憶部内に記憶されている特定の画像データを原稿画像データに重ね合わせて新たな画像データとし、この新たな画像データについて画像形成させるので、原稿画像をそのまま複写させることを防止したり、原稿画像に別の画像を合成させて印刷させることができる。
【００３２】
請求項１２記載の発明によれば、ユーザが操作手段から所定の操作を行うことによって、記憶部内に記憶されている画像データの中から、重ね合わせに用いる画像データを選択できるので、所望の画像データを原稿画像に重ね合わせて複写することができる。
【発明を実施するための最良の形態】
【００３３】
以下、本発明に係る画像形成装置を複合型デジタル画像形成装置に適用した一実施形態及びこの画像形成装置に適用可能な画像形成方法について説明する。図１に示すように、この画像形成装置は、例えば原稿画像を複写する複写機能、通信回線を介して画像データを送受信するファクシミリ機能、及び、外部Ｉ／Ｆを介して外部装置から供給される画像データに基づいてプリントするプリンタ機能を備えた画像形成装置、すなわち複合型デジタル画像形成装置（以下、画像形成装置と略称する）として構成される。また、本論では、ＲＦＩＤの検出例として、記録紙、原稿の場合の実施例を説明しているが、本発明による画像形成装置において、記録用紙の検出は行わないようにしても良い。
【００３４】
図１は、この画像形成装置の内部構造を概略的に示す断面図である。図１に示されたように、この発明の画像形成装置、例えば電子写真式デジタル画像形成装置５０は、原稿画像を読み取って画像データを生成する読取手段として機能する画像読取部、すなわちスキャナ部５０ａ、及び画像データに基づいて画像を形成する画像形成手段として機能する画像形成部すなわちプリンタ部５０ｂを有している。また、画像形成装置５０は、このスキャナ部５０ａの上部に、搬送手段としての原稿自動給送装置５１を備え、スキャナ部５０ａの後述する原稿台すなわち原稿テーブルに対して開閉可能に形成されて読取対象物としての原稿Ｄを原稿台に向けて１枚ずつ給送するとともに、原稿台に載置された原稿Ｄを原稿台に密着させる原稿押さえとして機能するようにしている。
【００３５】
スキャナ部５０ａは、その上部に、閉じた状態にある原稿自動給送装置５１に対向されるとともに原稿Ｄがセットされる透明なガラスからなる原稿テーブル５２と、原稿テーブル５２の一端に配置されるとともに原稿テーブル５２に原稿Ｄをセットすべき位置を示す原稿スケール５３と、を有している。
【００３６】
原稿テーブル５２の下方には、原稿テーブル５２に載置された原稿Ｄを照明する露光ランプ５４、露光ランプ５４からの光ビームを原稿Ｄに集光させるための補助反射板５８、及び、原稿Ｄからの反射ビームを図中左方向に折曲げる第１ミラー５６などが配置されている。露光ランプ５４、補助反射板５８および第１ミラー５６は、第１キャリッジ５７に固定されており、第１キャリッジ５７の移動にともなって原稿テーブル５２と平行に移動可能に配置されている。なお、第１キャリッジ５７は、図示しない歯付きベルト等を介して図示しないパルスモータの駆動力が伝達されて、原稿テーブル５２に沿って平行に移動される。
【００３７】
原稿テーブル５２の図中左方、すなわち第１ミラー５６により反射された反射ビームが案内される方向には、第２キャリッジ５９が配設されている。第２キャリッジ５９には、第１ミラー５６により案内される原稿Ｄからの反射ビームを下方に折曲げる第２ミラー６０、および図中右方に折り曲げる第３ミラー６１が互いに直角に配置されている。第２キャリッジ５９は、第１キャリッジ５７を駆動する図示しない歯付きベルトなどにより第１キャリッジ５７に従動されるとともに、第１キャリッジ５７に対して１／２の速度で原稿テーブル５２に沿って平行に移動される。
【００３８】
第１キャリッジ５７の下方であって、第２キャリッジ５９を介して折返されたビームの光軸を含む面内には、第２キャリッジ５９からの反射ビームを所定の倍率で結像させる結像レンズ６２、及び、結像レンズ６２により集束性が与えられた反射ビームを電気信号すなわち画像データに変換する複数のＣＣＤイメージセンサからなるラインセンサ６３が配置されている。
【００３９】
なお、ここでは、ラインセンサ６３における複数のＣＣＤイメージセンサが配列されている方向を主走査方向とし、第１キャリッジ５７及び第２キャリッジ５９が移動する方向を副走査方向とする。本実施形態では、この読み取り装置部分は、スキャナ部５０ａを固定させ、原稿自動給送装置５１により、原稿を搬送させながら画像を読み取る、シートスルータイプの画像読み取りシステムとなっている。
【００４０】
次に、プリンタ部５０ｂについて説明する。プリンタ部５０ｂは、感光体ドラム１２と、帯電チャージャ１３と、現像ユニット１４、１５と、除電ランプ（ＰＴＬ）１７と、転写チャージャ１８と、分離チャージャ１９と、イレーサ２０と、クリーニングユニット２１と、ポリゴンミラー（レーザ光発生器）２２と、光学系（レンズ）２３と、を有し、図２に示す画像メモリ１０８に記憶された画像データの画像形成、出力を行う。
【００４１】
すなわち、感光体ドラム１２を矢示方向に回転させると同時に、感光体ドラム１２上に付着した残留トナー及び不均一な電位が帯電チャージャ１３及び現像ユニット１４、１５に到達しないように、除電ランプ(ＱＬ)１６、転写前除電ランプ(ＰＴＬ)１７、転写チャージャ１８、分離チャージャ１９、イレーサ２０、及びクリーニングユニット２１を駆動して、除電ランプ１６を通過した後の感光体ドラム１２の表面電位が略ゼロになるようにする。
【００４２】
その後、感光体ドラム１２の表面を帯電チャージャ１３により一様に帯電すると共に、図２に示す画像メモリ１０８に記憶された画像データを読み出して、それに応じて図示しない半導体レーザからレーザ光を射出させる。半導体レーザから射出されるレーザ光は、図示しないシリンダレンズによって集光されて回転走査するポリゴンミラー（レーザ光発生器）２２に入射し、反射光が光学系（レンズ）２３、及びミラー２４を介して感光体ドラム１２の表面を照射して静電潜像を形成する。
【００４３】
次いで、感光体ドラム１２上に形成された潜像を、非画像部（画像作成領域からはみ出した不要部分）の電荷をイレーサ２０によって除去した後、黒トナーにより現像を行なう黒現像ユニット１４あるいはカラートナーにより現像を行なうカラー現像ユニット１５よりトナーを付着して可視像化する。このとき、現像バイアス電位を変化させることにより、画像の濃淡を調整することができる。
【００４４】
他方において、図示しないメインモータの駆動を選択的に取り出せる給紙クラッチのＯＮにより呼出コロ２５及び３個の給紙コロ２６のいずれかを駆動し、予め選択された給紙段（後述する）にセットされている記録紙を停止中のレジストローラ対２７に向けて給紙させる。レジストローラ対２７の手前にはレジストセンサ２８が配設されており、レジストセンサ２８は例えば反射型フォトセンサであり、その対向位置に記録紙の先端が到達するとＯＮ状態になる。それから、一定時間経過後に給紙クラッチをＯＦＦ状態に戻して、搬送中の記録紙を停止させる。
【００４５】
なお、給紙クラッチのＯＦＦタイミングは、レジストセンサ２８とレジストローラ対２７の間を記録紙が搬送される時間より長くとられている。したがって、記録紙は先端がレジストローラ対２７に付き当てられ、先端側にたわみを生じてスキュー等を防止する状態で待機する。その後、感光体ドラム１２上の画像先端に合わせたタイミングでレジストクラッチをＯＮ状態にし、それによってレジストローラ対２７が回転駆動されることにより、待機中の記録紙を転写部へ向けて再搬送する。
【００４６】
記録紙が転写部に到達すると、転写チャージャ１８の作用によって感光体ドラム１２上のトナー像を紙面上に転写し、続いて転写チャージャ１８と一体に保持されている分離チャージャ１９の作用によって紙面上の帯電電位を下げて記録紙と感光体ドラム１２との密着力を低下させた後、分離爪２９によって、記録紙を感光体面から分離する。
【００４７】
次いで、記録紙を２個のローラによって張装された搬送ベルト３０によって定着部へ送り、定着ローラ３１によってトナー像を熱定着し、その後コピーモードとして片面モードが選択されていれば切替爪３２の上側を通して外部の図示しない排紙トレイに排紙し、両面モードが選択されていれば切替爪３２の切り替えによって下側の再給紙用搬送経路３３ヘ送り込む。
【００４８】
なお、画像転写後の感光体ドラム１２上の残留トナーはクリーニングユニット２１を構成するクリーニングブラシ２１ａ、クリーニングブレード２１ｂによって除去してトナー回収タンク２１ｃに回収させ、さらに残存電荷を消去するために感光面を除電ランプ１６によって全面露光させる。
【００４９】
ところで、この複写機には、特定サイズの記録紙のみをまとめて収納できる通常の給紙カセットとして、それぞれ異なるサイズの記録紙をセットした３つの給紙カセット３４〜３６を着脱可能に備え、またいずれの給紙カセットにも収納されていない記録紙、すなわち不特定サイズの記録紙をセットできる手差しテーブル（手差しトレイ）３７をも備えている。
【００５０】
そして、各給紙カセット３４〜３６のいずれかに収納されている記録紙を用いてコピーする場合は、カセットサイズを図示しない操作パネル上のサイズ選択キーによって選択した後、コピースタートキーを押下することにより、給紙カセットから記録紙の給紙が行なわれる。
【００５１】
なお、３８ａ〜３８ｃは各給紙カセット３４〜３６の各収納用紙サイズを検知するためのサイズ検知センサであり、例えば５連のフォトインタラプタを使用する。また、各給紙カセット３４〜３６の先端部には、それぞれ図示しないサイズ識別用の遮光板が付設されている。この遮光板はカセット内に収納されるべき記録紙のサイズ毎に異なる切欠部を有している。
【００５２】
サイズ検知センサ３８ａ〜３８ｃは、給紙カセット３４〜３６が装着されると、遮光板の遮光部を挟んだフォトインタラプタのみが光路を遮断されるため、それに応じた信号（コード）をそれぞれ図２に示す制御部１０５へ出力することができる。なお、制御部１０５はＣＰＵ等である。一方、不特定サイズの記録紙を用いてコピーする場合には、手差しテーブル３７を仮想線で示す閉じた状態から矢示Ａ方向に開いて実線で示す使用状態にした後、その上面に所望の記録紙をセットして、コピースタートキーを押下することにより、手差しテーブル３７から記録紙の給紙が行なわれる。
【００５３】
なお、手差しテーブル３７が開く方向に回動すると、第１給紙カセット３４に設けられている記録紙載置用の底板を持ち上げていた底板上昇アーム３９がそれに連動して下降する。また、この複写機の手差しテーブル３７に対向する位置には、手差しテーブル３７の開閉を検知するための図示しない開閉検知センサが設置されている。
【００５４】
なお、給紙カセット３４〜３６のいずれか、あるいは手差しテーブル３７から給紙された用紙がレジスト位置に到達する前位置に、給紙用ＲＦＩＤタグ検出センサ４０を配置し、給紙用トレイの用紙に付したＲＦＩＤタグとの間で通信を行う機能を果たす。
【００５５】
図２はこのデジタル複写機の制御部の主として画像処理に係わる部分の概略を示すブロック構成図であり、ビデオ処理回路１０１、画像処理回路１０２、ビデオ書込処理回路１０３、ＬＤ制御部１０４、制御部１０５、記憶部１０６、テーブルメモリ１０７、画像メモリ１０８、インターフェース（Ｉ／Ｆ）部１０９、及びシステムバス１１０、特定部１１３を備えている。
【００５６】
ビデオ処理回路１０１は、スキャナ部５０ａで読み取った画像データ（ＣＣＤカラーイメージセンサ１００から出力される信号）をＡ／Ｄ変換して黒オフセット補正、シェーディング補正、画素位置補正を行なう。画像処理回路１０２は、図３に示すように色分離回路１２０、ＭＴＦ補正回路１２１、変倍回路１２２、γ補正回路１２３、及び画質処理回路１２４からなり、それらによってビデオ処理回路１０１から入力される画像データに対して画像処理を施す。この処理については、追って詳細に説明する。
【００５７】
ビデオ書込処理回路１０３は、画像処理回路１０２から入力される画像データに応じてプリンタ部５０ｂの制御を行なう。ＬＤ制御部１０４は、ビデオ書込処理回路１０３からのビデオ信号に応じて半導体レーザであるレーザダイオード（ＬＤ）１１２の発光制御をつかさどる。
【００５８】
制御部１０５は、記憶部１０６内の制御プログラムに従ってこのデジタル複写機全体を統括的に制御する。記憶部１０６は、制御部１０５を動作させるための制御プログラムを含む固定データを格納した読み出し専用のメモリ（いわゆるＲＯＭ）と、制御部１０５がデータ処理の際に１次的に使用する読み書き可能なメモリ（いわゆるＲＡＭ）とで構成されている。
【００５９】
テーブルメモリ１０７には、制御部１０５を動作させるための条件となる制御情報と、後述するＲＦＩＤ情報とが互いに関連付けられて記憶されている。
【００６０】
画像メモリ１０８は、画像処理回路１０２から送られてくる画像データや、画像形成動作の制御に関する制御情報、設定情報を記憶する読み書き可能なメモリである。インターフェース部１０９は画像処理回路１０２とシステムバス１１０との間のインターフェースを、システムバス１１０は各回路間のデータのやりとりをそれぞれ司る。テーブルメモリ１０７、画像メモリ１０８は、それぞれ専用メモリを個別に設けても良いし、ＨＤＤ等の記憶装置内に、それぞれ専用領域を設けても良い。
【００６１】
操作パネル１１１は、本発明の特徴である編集内容の指示を含む各種情報を入力する入力部と各種情報を表示する表示部とからなる。
【００６２】
次に、この図２に示した制御部による画像処理についてさらに詳細に説明する。ＣＣＤカラーイメージセンサ１００によって読み取られたＲ、Ｇ、Ｂの画像信号は、ビデオ処理回路１０１で適正なゲインを与えられてＡ／Ｄ変換され、黒オフセット補正、シェーディング補正、画素位置補正が行なわれ、所定のクロックに同期した８ビットのデジタルデータである赤画像データＲＤＴ０〜７、緑画像データＧＤＴ０〜７、青画像データＢＤＴ０〜７として出力される。
【００６３】
ここで、黒オフセット補正とはＣＣＤ１００の暗電流の黒レベルを画像データから減算する補正である。シェーディング補正とは、主走査方向の露光ランプ５４の光量むらやＣＣＤカラーイメージセンサ１００の各色用ＣＣＤの画素間の感度差によるむらを除くため、原稿走査開始前に濃度の均一な白板を読み取ってデータを各画素毎に記憶し、原稿読み取り中の画像データを記憶した各画素毎の白板のデータで除算することにより補正を行なうものである。画素位置補正とは、ＣＣＤカラーイメージセンサ１００として３ラインのものを用いた場合、副走査方向の画素の位置ずれがあるため、それを補正するものである。画像処理回路１０２では、ビデオ処理回路１０１から出力されるＲＧＢの画像データＲＤＴ０〜７、ＧＤＴ０〜７、ＢＤＴ０〜７）が図３に示される色分離回路１２０に入力され、黒画像データＢＬＫＤＴ０〜７が分離される。
【００６４】
さらに、画像データＢＬＫＤＴ０〜７を、ＭＴＦ補正回路１２１でＭＴＦ補正を施した後変倍回路１２２で主走査方向の電気変倍を行ない、さらにγ補正回路１２３でγ補正を行った後、画質処理回路１２４でディザや誤差拡散などの画質処理を行なう。
【００６５】
ここで、ＭＴＦ補正とは光学的な周波数特性の劣化などを２次元の空間フィルタで補正するものである。各種の補正がなされた黒画像データＢＬＫＤＴ０〜７は図２のインターフェース部１０９に送られ、黒画像データＢＬＫＤＴ０〜７は画像メモリ１０８に記憶される。
【００６６】
画像データＢＬＫＤＴ０〜７はビデオ書込処理回路１０３にも送られ、そこでプリンタ部５０ｂの書き込み速度に対応できるビデオ信号に変換されてＬＤ制御部１０４に入力され、画像信号に応じてレーザダイオード１１２に与える電流のパルス幅や電流の量をコントロールし、図１に示した感光体ドラム１２上に光書き込みを行なって静電潜像を形成する。
【００６７】
なお、画像処理回路１０２はメイン制御部の制御部１０５とアドレスバス、データバスを共有しており、これを介して通信が行なわれている。制御部１０５は、スキャナ部５０ａやプリンタ部５０ｂのモータコントロールも行なっている。その他にも、各種クラッチ、ソレノイドのコントロールも行なっている。
【００６８】
次に、後述するＲＦＩＤタグに記憶されたＲＦＩＤ情報に従った制御動作について簡単に説明する。原稿にＲＦＩＤタグが付されていた場合は、原稿用ＲＦＩＤタグセンサ８０がＲＦＩＤタグを検知し、ＲＦＩＤタグに記憶されているＲＦＩＤ情報を読み取る。制御部１０５は、記憶部１０６内の制御プログラムを読み出し、制御プログラムに従って、読み取ったＲＦＩＤ情報をキーに、テーブルメモリ１０７内の制御テーブルを参照し、対応する制御情報を検索し、検索結果に応じて、画像形成動作を制御する。
【００６９】
原稿自動給送装置５１は、自身の後端縁部が画像形成装置５０の上面後端縁部に図示しないヒンジ装置を介して取付けられたカバー６４を有し、必要に応じて原稿自動給送装置５１全体を回動変位させることで、既に説明したように、スキャナ部５０ａの原稿テーブル５２に対して開閉可能に形成されている。
【００７０】
カバー６４の上面のやや左方向部位には、所定枚数、例えば５０枚の原稿Ｄを保持することが可能な原稿給紙台６５が設けられている。原稿給紙台６５の図中左方すなわち原稿自動給送装置５１の一端側には、原稿給紙台６５にセットされた原稿Ｄを順次１枚ずつ取出すとともに、図中左端側からスキャナ部５０ａの原稿テーブル５２の一端側に供給するためのピックアップローラ６７が配置されている。
【００７１】
原稿給紙台６５の所定の位置には、原稿給紙台６５への原稿Ｄがセットされたか否かを検知する検知手段として機能する原稿検知センサとしてのエンプテイセンサ６６が配設されている。なお、原稿給紙台６５には、原稿テーブル５２に原稿Ｄがセットされた位置を検知する原稿位置検知センサ５５と同様に機能する図示しない原稿幅検知センサが配置されてもよい。
【００７２】
ピックアップローラ６７の原稿取出し方向には、ピックアップローラ６７により取り出された原稿Ｄを原稿テーブル５２に向けて送出する給紙ローラ６８、及び、給紙ローラ６８により給送された原稿Ｄの先端を整位するアライニングローラ６９が配置されている。
【００７３】
アライニングローラ６９と給紙ローラ６８との間には、原稿Ｄのアライニングローラ６９への到達を検出するアライニングセンサ７０が配置されている。カバー６４の内側であって、原稿自動給送装置５１が閉じられた状態でスキャナ部５０ａの原稿テーブル５２と対向される位置には、搬送ベルト７１が配置され、搬送ベルト７１は原稿テーブル５２のほぼ全体を覆う大きさが与えられ、ピックアップローラ６７、給紙ローラ６８およびアライニングローラ６９を介して原稿給紙台６５から搬送された原稿Ｄを原稿テーブル５２の所定の位置に搬送する。搬送ベルト７１は、図中左右一対に配置されたベルトローラ７２に掛渡され、図示しないベルト駆動機構によって、図中右側および図中左側の両方向に向けて回転される。
【００７４】
原稿自動給送装置５１の右側部位には、搬送ベルト７１により図中左側から図中右側に移動される原稿Ｄをカバー６４の外側に向けて送出する反転ローラ７３、反転ローラ７３に原稿Ｄを押し付けるピンチローラ７４、反転ローラ７３とピンチローラ７４により搬送される原稿Ｄを、再び搬送ベルト７１へ戻すか所定の排出位置すなわちカバー６４上に排出させるかを切り換えるフラッパ７５、フラッパ７５が排出側に切り換えられている場合に、反転ローラ７３により搬送された原稿Ｄを排出させる排紙ローラ７６、及び、反転ローラ７３の近傍での原稿のジャムを検知するジャムセンサ７７などが配置されている。
【００７５】
また、原稿自動給送装置５１内の原稿搬送経路上にＲＦＩＤタグ読み取り手段８０が配置され、原稿搬送中に原稿用紙に付したＲＦＩＤタグとの間で通信を行う機能を果たす。このＲＦＩＤの読み取り手段は、複数配置することも可能で、また、複数個のＲＦＩＤを検出することも可能である。
【００７６】
また、装置本体５０の前面上部には、図４（ａ）に示すように、様々な複写条件並びに画像形成動作を開始させる画像形成開始信号などを入力する操作部１１１として機能する操作パネル２００が設けられている。
【００７７】
図４（ａ）に示すように、操作パネル２００には、複写機能を実行するための複写モードを設定する複写ボタン２０２、ファクシミリ機能を実行するためのＦＡＸモードを設定するＦＡＸボタン２０４、及びプリンタ機能を実行するためのプリンタモードを設定するプリンタボタン２０６が設けられている。
【００７８】
また、操作パネル２００には、複写モードにおいて複写枚数などの数値を入力するためのテンキー２０８、画像形成の開始を指示するスタートボタン２１０、複写枚数を訂正するときや画像形成動作を停止させるときなどに使用されるクリア／ストップボタン２１２、選択したモードや各種設定した条件等をすべてクリアするオールクリアボタン２１４、及び、複写倍率を設定するための倍率設定ボタン２１６が設けられている。
【００７９】
スタートボタン２１０は、原稿給紙台６５にセットされた原稿の読み取り開始を指示するとともに、画像データに基づいた画像の形成を指示する入力手段として機能する。
【００８０】
さらに、操作パネル２００には、画像を形成したい用紙のサイズを選択設定するための用紙サイズボタン２１８、原稿台に載置された原稿のサイズを検知して自動的に用紙サイズを設定する自動用紙選択ボタン２２０、原稿サイズを設定するための原稿サイズボタン２２２、及び、用紙サイズボタン２１８によって設定された用紙サイズと検知した原稿サイズとに基づいて自動的に複写倍率を設定する自動倍率選択ボタン２２４が設けられている。
【００８１】
これらの各種設定ボタンの他に、さらに、設定されたモードの内容や操作手順などの案内情報を表示させる操作ガイドボタン２２６、予熱状態を設定する予熱ボタン２２８、プリンタ部の動作中に割り込みを指示する割り込みボタン２３０などが設けられている。
【００８２】
そして、この操作パネル２００の略中央には、装置の状態、操作手順、及び、操作者に対して各種のメッセージを文字や図形で表示する報知手段として機能するタッチパネル式の液晶表示装置（ＬＣＤ）によって構成された表示パネル２４０が設けられている。この表示パネル２４０は、各機能毎に操作を画面に表示するものである。
【００８３】
表示パネル２４０は、例えば図４（ｂ）に示すように、操作者に情報を提供するための上段２４２ａ（破線）、中段２４２ｂ（破線）、下段２４２ｃ（破線）の３つのエリアからなるメッセージエリア２４２と、基本操作を指定するための「基本」ボタン、編集操作を指定するための「編集」ボタン、拡張操作を指定するための「拡張」ボタン、設定操作を指定するための「指定」ボタンなどのタイトル切り替えボタンが配置されたタイトルエリア２４４（破線）と、原稿枚数やコピー枚数などを表示するためのフィールドエリア２４６（破線）を有している。
【００８４】
基本操作では、通常の画像形成動作、すなわち原稿画像を読み取って原稿画像に対応した画像すなわち正像を用紙上に形成する第１画像形成モードが実行される。編集操作では、特殊な画像形成動作、すなわち原稿画像を読み取って原稿画像を副走査方向に反転させた画像すなわち鏡像を用紙上に形成する第２画像形成モードなどを設定することができる。
【００８５】
図５は、画像形成要求発生から原稿の読み取りが完了するまでの処理図である。原稿台６５に原稿Ｄをセットし、操作者により、操作パネル２００からボタン押下によって画像形成要求が行われたか否かを判断し（Ｓ５０１）、要求があると（Ｓ５０１／Ｙ）、１枚目の原稿の先端がピックアップローラ６７、給紙ローラ６８によりフィードされ（Ｓ５０２）、原稿用ＲＦＩＤタグ検出センサ８０を通過する。ここで、原稿用紙にＲＦＩＤタグが付されていた場合は、原稿用ＲＦＩＤタグ検出センサ８０との間で規定の通信プロトコルによるデータ授受が行われる。同時に、読み取った原稿画像データは画像メモリ１０８に記憶される（Ｓ５０３）。この時、原稿用ＲＦＩＤタグ検出センサ８０は、ＲＦＩＤ通信のポーリングを行い、通信状態を監視している（Ｓ５０４）。
【００８６】
（第１の実施例）
図６は、図５の後処理であり、本発明の第１の実施例についての処理図である。読み取りが完了すると、原稿用ＲＦＩＤタグ検出センサ８０と原稿との間で規定の通信プロトコルによるデータ授受が行われたか否かによって、ＲＦＩＤタグとの通信の可否が判定される（Ｓ６０１）。通信に成功すると、原稿にＲＦＩＤタグが付加されていると判定される（Ｓ６０１／Ｙ）。そして、制御部１０５は、既に画像形成開始後であった場合（Ｓ６０２／Ｙ）、画像形成を停止させる設定か、中断させる設定かを判定する（Ｓ６０４）。画像形成を停止させる設定であった場合は、画像形成を停止させ（Ｓ６０５）、画像形成を中断させる設定であった場合は、画像形成を中断させ（Ｓ６０６）、さらに再開指示があるまで中断を維持し（Ｓ６０７）、再開指示があった場合は（Ｓ６０８／再開）、通常の画像形成と同様に、画像形成が完了した後、処理フローを抜ける（Ｓ６０９／Ｙ）。なお、再開指示は、利用者が操作部パネル２００を操作することによって行なう。
【００８７】
また、画像形成開始前であれば（Ｓ６０２／Ｎ）、画像形成を禁止する（Ｓ６０３）。このとき、画像形成が禁止された原稿である旨を、利用者に通知するようにしても良い。利用者への通知手段は、音声等による通知やメッセージエリア２４２等への表示で行なう。その場合は、停止又は禁止の処理が終了すると、処理フローを抜ける。
【００８８】
一方、通信に失敗すると（Ｓ６０１／Ｎ）、ＲＦＩＤタグが付加されていないと判定される（Ｓ６０１／Ｎ）。この場合には、通常の画像形成動作を行い（Ｓ６１０）、画像形成が完了すると、処理フローを抜ける（Ｓ６１１／Ｙ）。
【００８９】
（第２の実施例）
第１の実施例では、ＲＦＩＤタグの有無に応じた制御を行なう実施例について説明したが、第２の実施例では、ＲＦＩＤタグが検出された場合に、該ＲＦＩＤタグに記憶されているＲＦＩＤ情報に応じた制御を行なう実施例について説明する。図７（ａ）はＲＦＩＤタグに記憶されているＲＦＩＤ情報を読み込んでから、制御部１０５が制御指示を行なうまでの処理フローである。はじめに、原稿用ＲＦＩＤタグセンサ８０によりＲＦＩＤタグに記憶されているＲＦＩＤ情報を読み込む（Ｓ７０１）。次に、制御部１０５がテーブルメモリ１０７内の制御テーブルを参照し（Ｓ７０２）、読み込んでおいたＲＦＩＤ情報と同一のＲＦＩＤ情報がないか検索する（Ｓ７０３）。なお、制御テーブルについては、後述する。次に、特定部１１３は、検索結果に応じて制御情報を特定する（Ｓ７０４）。制御部１０５は、特定した制御情報に従って、画像形成動作を制御する（Ｓ７０５）。
【００９０】
図７（ｂ）は図７（ａ）の処理フローを抜けた後の全体的な処理フローである。ＲＦＩＤタグとの通信に成功すると（Ｓ７０１／Ｙ）、画像形成開始前に、図７（ａ）で述べた処理を行う。ＲＦＩＤタグとの通信に失敗した場合は（Ｓ７０１／Ｎ）、第１の実施例と同様である（Ｓ７０６〜Ｓ７０８）。
【００９１】
次に、図８（ａ）〜（ｃ）に示した制御テーブルについて説明する。図８（ａ）は、図２に示すテーブルメモリ１０７内に記憶された制御テーブルの１例である。制御テーブルには、ＲＦＩＤ情報と制御メニューが記憶されている。ＲＦＩＤ情報は、原稿のＲＦＩＤタグに記憶されている情報であって、原稿の種類や内容等を示す原稿識別情報や、ユーザＩＤ等のユーザ識別情報である。制御メニューには、どのような制御を行うかといった制御の内容についての制御情報が記憶されており、例えば印刷枚数、印刷倍率、用紙サイズ、両面印刷、集約印刷等の編集内容、及び特定の画像データを重ね合わせて画像形成する重ね合わせ、画像形成完了後に原稿画像データを画像メモリ１０８から削除するといった原稿削除といった制御も含まれる。また、ＲＦＩＤ情報として、対応するＲＦＩＤ情報が見つからなかった場合の制御メニューも記憶しておくことによって、ＲＦＩＤタグに記憶されたＲＦＩＤ情報と同一のＲＦＩＤ情報が検索できなかった場合も制御が可能となる。
【００９２】
図８（ｂ）は、図２に示すテーブルメモリ１０７内に記憶されたＲＦＩＤテーブルの１例である。図８（ａ）の第２の実施例では、ＲＦＩＤタグにＲＦＩＤ情報が記憶されていた場合、ＲＦＩＤ情報から直接制御情報を特定するよう構成したが、図８（ｂ）のように、ＲＦＩＤタグが複数付加された場合、ＲＦＩＤタグの数や位置の組合せよってＲＦＩＤ情報を特定するよう構成することもできる。
【００９３】
図８（ｃ）は、図２に示すテーブルメモリ１０７内に記憶された複数のＲＦＩＤ情報と制御メニューの対応図の１例である。図８（ｃ）のように、それぞれのＲＦＩＤタグに記憶されたＲＦＩＤ情報の組合せに応じて、制御設定することで、より細かい制御が可能となる。
【００９４】
（第３の実施例）
第１、第２の実施例では、ＲＦＩＤタグの有無やＲＦＩＤタグに記憶されているＲＦＩＤ情報に応じた制御を行なう実施例について説明したが、第３、第４の実施例では、具体的な制御の内容について説明する。図９は、第３の実施例についての処理図である。ＲＦＩＤタグとの通信に失敗した場合は（Ｓ９０１／Ｎ）、図６に示す第１の実施例と同様である（Ｓ９０７〜Ｓ９０８）。ＲＦＩＤタグとの通信に成功した場合には（Ｓ９０１／Ｙ）、制御部１０５は、図７（ａ）の処理を行い制御情報を特定する。ここで、制御情報が「原稿削除」に特定されたとする（Ｓ９０２／Ｙ）。すると、制御部１０５は、画像形成を開始させ（Ｓ９０３）、画像形成が完了すると（Ｓ９０４／Ｙ）、画像メモリ１０８にアクセスし、画像メモリ１０８内の原稿画像データを削除する（Ｓ９０５）。削除が完了すると、処理フローを抜ける（Ｓ９０６／Ｙ）。本実施例では、ＲＦＩＤタグとの通信に成功した後に、制御テーブルを参照する処理を行ったが、図７（ａ）の処理を行わず、単にＲＦＩＤタグとの通信成功を条件として画像メモリ１０８内の原稿データを削除する制御を実行するように構成してもよい。
【００９５】
（第４の実施例）
図１０は、第４の実施例についての処理図である。ＲＦＩＤタグとの通信に失敗した場合は（Ｓ１００１／Ｎ）、図６に示す第１の実施例と同様である。ＲＦＩＤタグとの通信に成功した場合には、制御部１０５は、図７ａに示した処理を行い制御情報を特定する。ここで、制御情報が「重ね合わせ」に特定されたとする（Ｓ１００２／Ｙ）。次に、予め画像メモリ１０８に記憶されている重ね合わせ用の画像データを読み込む（Ｓ１００３）。重ね合わせ用の画像データは、画像メモリ１０８に予め記憶された画像データであり、原稿画像データを読み取って画像メモリ１０８に記憶された後に、読み取った画像データを重ね合わせに用いることも可能である。続いて、画像メモリ１０８に記憶されていた原稿画像データに重ね合わせ用の画像データを重ね合わせて、新たな原稿画像データとする（Ｓ１００４）。そして、この新たな原稿画像データについて、画像形成を開始し（Ｓ１００４）、画像形成が完了すると処理フローを抜ける（Ｓ１００５／Ｙ）。本実施例では、ＲＦＩＤタグとの通信に成功した後に、制御テーブルを参照する処理を行ったが、Ｂの処理を行なわず、単にＲＦＩＤタグとの通信成功を条件として重ね合わせ処理（Ｓ１００３〜Ｓ１００４）を行ってもよい。
【００９６】
（第５の実施例）
第３、第４の実施例では、具体的な制御内容について説明したが、第５の実施例では、制御内容の設定についての実施例を説明する。図１１は、第５の実施例についての処理図である。ユーザが操作パネル２００から所定の操作を行い、ＲＦＩＤ制御機能についての設定を行なうモードを実行する（Ｓ１１０１／Ｙ）。次に、ＲＦＩＤ検出のＯＮ／ＯＦＦを選択する（Ｓ１１０２）。ここで、ＯＦＦを選択すると、設定完了か否かの選択に移る（Ｓ１１１２）。一方、ＯＮを選択すると、具体的な制御内容についての設定に移る。まず、ＲＦＩＤタグを検出するにあたり、有効となるタグの数や位置について設定する（Ｓ１１０３）。次に、ＲＦＩＤタグを検出した場合に、画像メモリ１０８に記憶された原稿画像データを削除するか否かについて設定を行う（Ｓ１１０４）。
【００９７】
次に、ＲＦＩＤタグを検出した場合に画像形成動作を停止させるか否かについて設定する（Ｓ１１０５）。ここで、ＯＮを選択すると、設定モードを抜ける。一方、ＯＦＦを選択すると、画像形成制御のＯＮ／ＯＦＦを設定する（Ｓ１１０６）。本実施例における画像形成制御とは、図７〜図８及び図１０に示した制御である。ここでＯＦＦを選択すると、設定モードを抜ける。一方、ＯＮを選択すると、具体的な制御メニューについて設定を行なう（Ｓ１１０７）。
【００９８】
次に、特定画像重ね合わせのＯＮ／ＯＦＦを選択する（Ｓ１１０８）。ここで、ＯＦＦを選択すると、設定モードを抜ける。一方、ＯＮを選択すると、続いて重ね合わせ画像を選択するか否かについて設定する（Ｓ１１０９）。重ね合わせ画像を選択しない場合は（Ｓ１１０９／しない）、デフォルト画像を自動的に設定する（Ｓ１１１１）。一方、Ｓ１１０９で「する」を選択すると、重ね合わせ画像を選択し（Ｓ１１１０）、設定完了か否かを問われ（Ｓ１１１２）、続いてＹＥＳを選択するとＲＦＩＤ制御設定モードが終了し、画像メモリ１０８内の制御テーブル（図８ａ〜ｃ）を更新して処理フローを抜ける（Ｓ１１１３）。
【００９９】
また、本実施例では、原稿からＲＦＩＤタグを検出した場合に特定の制御を行うことについて述べてきたが、原稿からＲＦＩＤタグが検出できなかった場合に、同様の制御を行うよう構成しても良い。
【産業上の利用可能性】
【０１００】
本発明は、画像形成する場合において、原稿の種類に応じて、印刷制御を行う画像形成装置に適用することができる。
【図面の簡単な説明】
【０１０１】
【図１】本発明における、画像形成装置全体の構成図である。
【図２】本発明における、画像形成装置のブロック図である。
【図３】図２における画像処理回路１０２の詳細を示したブロック図である。
【図４】画像形成装置に備えられる操作部１１１を構成する操作パネル及び表示部の例を示す図である。
【図５】本発明の一実施例における、画像形成要求発生から原稿読み取り完了までの処理フロー図である。
【図６】本発明の第１の実施例の処理フロー図である。
【図７】本発明の第２の実施例の処理フロー図である。
【図８】制御テーブルの１例を示す図である。
【図９】本発明の第３の実施例の処理フロー図である。
【図１０】本発明第４の実施例の処理フロー図である。
【図１１】本発明第５の実施例の処理フロー図である。
【符号の説明】
【０１０２】
１２    感光体ドラム
１３    帯電チャージャ
１４、１５    現像ユニット
１６    除電ランプ（ＱＬ）
１７    転写前除電ランプ（ＰＴＬ）
１８    転写チャージャ
１９    分離チャージャ
２０    イレーサ
２１    クリーニングユニット
２２    ポリゴンミラー
２３    光学系（レンズ）
２４    ミラー
２５    呼出コロ
２６    給紙コロ
２７    レジストローラ対
２８    レジストセンサ
２９    分離爪
３０    搬送ベルト
３１    定着ローラ
３２    切替爪
３３    再給紙用搬送経路
３４〜３６    給紙カセット
３７    手指しテーブル（手差しトレイ）
３８ａ、３８ｂ、２８ｃ    サイズ検知センサ
３９    底板上昇アーム
４０    給紙用ＲＦＩＤタグセンサ
５０    電子写真式デジタル複写機
５０ａ    スキャナ部
５０ｂ    プリンタ部
５１    原稿自動給紙装置
５２    原稿テーブル
５３    原稿スケール
５４    露光ランプ
５６    第１ミラー
５７    第１キャリッジ
５８    補助反射板
５９    第２キャリッジ
６０    第２ミラー
６１    第３ミラー
６２    結像レンズ
６３    ラインセンサ
６４    カバー
６５    原稿給紙台
６６    エンプテイセンサ
６７    ピックアップローラ
６８    給紙ローラ
６９    アライニングローラ
７０    アライニングセンサ
７１    搬送ベルト
７２    ベルトローラ
７３    反転ローラ
７４    ピンチローラ
７５    フラッパ
７６    排紙ローラ
７７    ジャムセンサ
８０    原稿用ＲＦＩＤタグセンサ
【図１】
2005323209.tif 000003
【図２】
2005323209.tif 000004
【図３】
2005323209.tif 000005
【図４】
2005323209.tif 000006
【図５】
2005323209.tif 000007
【図６】
2005323209.tif 000008
【図７】
2005323209.tif 000009
【図８】
2005323209.tif 000010
【図９】
2005323209.tif 000011
【図１０】
2005323209.tif 000012
【図１１】
2005323209.tif 000013